(57)【要約】  本発明は、顧客が別途の作業を行うことなく、売り場で発行したクーポンを積み立てることのできる高周波を用いたクーポン積立システム及び積立方法に関する。本発明は、クーポン情報を発行するクーポン発行器１００と、クーポン関連アプリケーションサービスがインストールされた無線端末２００及びクーポン関連アプリケーションサービスがインストールされた無線端末を登録され、クーポン発行器、無線端末と通信する中央サーバー３００を備え、クーポン発行器１００は、クーポンの発行時に発行されるクーポン情報を中央サーバーに提供し、中央サーバーから提供された高周波チャンネルに対応する高周波信号を発生し、無線端末２００は、クーポン発行器で発生された高周波信号を受信し、高周波信号に対応する高周波チャンネル情報を中央サーバーに提供し、中央サーバー３００は、クーポン発行器からクーポン情報を提供されて対応する高周波チャンネルを提供し、無線端末から高周波チャンネル情報を提供されて一致すれば、顧客端末にクーポンを積み立てることを特徴とする。
2015505408.tif 000002
【特許請求の範囲】
【請求項１】
クーポン情報を発行するクーポン発行器と、
クーポン関連アプリケーションサービスがインストールされた無線端末及びクーポン関連アプリケーションサービスがインストールされた無線端末を登録し、クーポン発行器及び無線端末と通信する中央サーバーと
を備え、クーポン発行器は、クーポンの発行時に発行されるクーポン情報を中央サーバーに提供し、中央サーバーから提供された高周波チャンネルに対応する高周波信号を発生し、無線端末は、クーポン発行器で発生された高周波信号を受信し、高周波信号に対応する高周波チャンネル情報を中央サーバーに提供し、中央サーバーは、クーポン発行器からクーポン情報を提供されて対応する高周波チャンネルを提供し、無線端末から高周波チャンネル情報を提供されて一致すれば、顧客端末にクーポンを積み立てることを特徴とする高周波を用いたクーポン積立システム。
【請求項２】
顧客に提供されるクーポンに関する情報を発生するクーポン発行部と、高周波信号の範囲を多数に分けて生成された高周波信号別の高周波チャンネルを保存し且つ管理する第１高周波チャンネル管理部と、中央サーバーと通信しながら、クーポン発行部で発生されたクーポン情報を提供するクーポン情報提供部と、中央サーバーと通信しながら、中央サーバーからクーポン発行部で発行したクーポン情報に対応するように高周波チャンネルを組み合わせて生成されたクーポンチャンネルを受信するクーポンチャンネル受信部と、中央サーバーから提供されたクーポンチャンネルに対応する高周波信号を顧客端末で受信可能なように発生する高周波発生部と、を有するクーポン発行器と、
高周波信号の範囲を多数に分けて生成された高周波信号別の高周波チャンネルを保存し且つ管理する第２高周波チャンネル管理部と、クーポン発行器で発生された高周波信号を受信する高周波信号受信部と、高周波信号受信部で受信した高周波信号を保存された高周波信号と比較して対応する高周波チャンネルを確認する高周波チャンネル確認部と、中央サーバーと通信しながら、高周波チャンネル確認部で確認された高周波チャンネルに関する情報を中央サーバーに提供する高周波チャンネル確認要請部と、を有する顧客端末と、
クーポンを提供する売り場に関する情報を保存し且つ管理する売り場登録部と、可聴周波数から外れた高周波範囲を多数に分けて高周波チャンネルを生成し、高周波チャンネル別の周波数を保存し且つ管理する第３高周波チャンネル管理部と、クーポン情報を提供された顧客端末に関する情報を保存し且つ管理する顧客端末管理部と、売り場のクーポン発行器からクーポン情報を提供されれば、多数の高周波チャンネルを組み合わせてクーポン情報に対応するクーポンチャンネルを生成する高周波チャンネル割当部と、高周波チャンネル割当部で生成されたクーポンチャンネルに関する情報をクーポン情報を提供したクーポン発行器に転送するクーポンチャンネル転送部と、顧客端末と通信しながら、顧客端末がクーポン発行器から提供された高周波チャンネル情報を提供される顧客端末確認部と、顧客端末から提供された高周波チャンネル情報を生成されたクーポンチャンネル情報と比較して一致する高周波チャンネルを確認する高周波チャンネル確認部と、高周波チャンネル確認部を介して一致する高周波チャンネルが確認されれば、顧客端末別にクーポンを積み立てる発行クーポン保存部と、を有する中央サーバーと、
を備えることを特徴とする高周波を用いたクーポン積立システム。
【請求項３】
中央サーバー（３００）の顧客端末管理部（３０６）は、顧客端末（２００）にクーポン関連アプリケーションサービスがインストールされる場合、顧客端末（２００）の固有識別ＩＤを提供しながら保存し、会員登録により氏名、電話番号、電子メールアドレスなどをさらに登録されることを特徴とする請求項２に記載の高周波を用いたクーポン積立システム。
【請求項４】
中央サーバーの高周波チャンネル割当部は、取引別に新たなクーポンチャンネルを形成して区別することを特徴とする請求項２に記載の高周波を用いたクーポン積立システム。
【請求項５】
クーポン発行器と顧客端末の高周波チャンネル情報は、中央サーバーから提供されることを特徴とする請求項２に記載の高周波を用いたクーポン積立システム。
【請求項６】
クーポン発行器のクーポン情報提供部は、クーポン情報とともに売り場に設けられたクーポン発行器の情報を中央サーバーに提供することを特徴とする請求項２に記載の高周波を用いたクーポン積立システム。
【請求項７】
クーポン発行器は、クーポン発行器に接続されたスピーカーを介して高周波信号を提供することを特徴とする請求項１または請求項２に記載の高周波を用いたクーポン積立システム。
【請求項８】
中央サーバーは、発行クーポン保存部を介して顧客端末別にクーポン情報が保存されれば、クーポン積立情報を顧客端末に提供するクーポン積立確認部をさらに備え、
顧客端末は、中央サーバーから提供されるクーポン積立完了情報を受信するクーポン積立受信部をさらに備えることを特徴とする請求項２に記載の高周波を用いたクーポン積立システム。
【請求項９】
顧客端末は、高周波信号でクーポン情報を発行する売り場に関する情報を登録されて保存し且つ管理する売り場管理部をさらに備えることを特徴とする請求項２に記載の高周波を用いたクーポン積立システム。
【請求項１０】
顧客端末は、中央サーバーから提供される高周波チャンネルに対応するクーポン認証情報を受信するクーポン情報受信部と、クーポン情報受信部を介して受信したクーポン情報に含まれている売り場とクーポン数を確認して売り場別にクーポンを積み立てるクーポン積立部と、をさらに備え、
中央サーバーは、高周波チャンネル確認部を介して一致する高周波チャンネルが確認されれば、売り場とクーポン数を認証するクーポン認証情報を生成して顧客端末に提供するクーポン認証情報提供部をさらに備えることを特徴とする請求項１に記載の高周波を用いたクーポン積立システム。
【請求項１１】
売り場に設けられたクーポン発行器のクーポン発行部が、顧客に提供されるクーポンに関する情報を生成するステップと、
クーポン発生器のクーポン情報提供部が、生成されたクーポン情報を中央サーバーに提供するステップと、
中央サーバーが、高周波チャンネル割当部で売り場のクーポン発行器から提供されたクーポンに関する情報を確認し、多数の高周波チャンネルを組み合わせて提供されたクーポン情報に対応するクーポンチャンネルを生成するステップと、
中央サーバーのクーポンチャンネル転送部が、高周波チャンネル割当部で生成されたクーポンチャンネルに関する情報をクーポン発行器に転送するステップと、
クーポン発行器のクーポンチャンネル受信部が、中央サーバーから転送されたクーポンチャンネル情報を受信するステップと、
クーポン発行器の高周波信号発生部を介してクーポンチャンネルに対応する高周波信号を発生して顧客端末に提供するステップと、
顧客端末が、高周波受信部を介してクーポン発行器で発生された高周波信号を受信するステップと、
顧客端末の高周波チャンネル確認部が、高周波信号受信部で受信した高周波信号と比較して対応する高周波チャンネルを確認するステップと、
顧客端末の高周波チャンネル確認要請部が、確認された高周波チャンネル情報を中央サーバーに提供するステップと、
中央サーバーが、顧客端末確認部で顧客端末から転送された高周波チャンネル情報を提供された後、高周波チャンネル確認部で保存されたクーポンチャンネルと比較して一致する高周波チャンネルを確認するステップと、
一致する高周波チャンネルが確認されれば、中央サーバーの発行クーポン保存部が顧客端末別にクーポンを積み立てるステップと、
を含むことを特徴とする高周波を用いた無線クーポン積立方法。
【請求項１２】
中央サーバーのクーポン積立確認部は、発行クーポン保存部を介して顧客端末別にクーポン情報が保存されれば、クーポン積立情報を顧客端末に提供するステップと、
顧客端末のクーポン積立受信部は、中央サーバーから提供されるクーポン積立完了情報を受信して顧客が確認可能なように表示するステップと、
をさらに含むことを特徴とする請求項１１に記載の高周波を用いた無線クーポン積立方法。
【請求項１３】
中央サーバーのクーポン認証情報提供部は、高周波チャンネル確認部を介して一致する高周波チャンネルが確認されれば、売り場とクーポン数を認証するクーポン認証情報を生成して顧客端末に提供するステップと、
顧客端末のクーポン情報受信部は、中央サーバーから提供されるクーポン認証情報を受信し、クーポン積立部は、クーポン情報受信部を介して受信したクーポン情報に含まれている売り場とクーポン数を確認して売り場別にクーポンを積み立てるステップと、
をさらに含むことを特徴とする請求項１１に記載の高周波を用いた無線クーポン積立方法。
【発明の詳細な説明】
【技術分野】
【０００１】
本発明は、高周波を用いたクーポン積立システム及び積立方法に係り、さらに詳しくは、顧客が別途の作業を行うことなく、売り場で発行したクーポンを積み立てることのできる高周波を用いたクーポン積立システム及び積立方法に関する。
【背景技術】
【０００２】
一般に、持ち帰り可能な売り場など様々な売り場で顧客が物品を購買すれば、マイレージまたはクーポンを発行して提供している。このようなクーポンは顧客に紙の形で提供され、購買回数に応じてスタンプを捺印して確認している。
【０００３】
しかしながら、紙の形で提供されるクーポンは、顧客が常にクーポン紙を所持することを余儀なくされ、もし、顧客がクーポン紙を所持していなければクーポンを積み立てることができず、クーポン紙を紛失する場合には使用することができないという問題がある。
【０００４】
このような問題を解決するために、最近には、モバイル積立システムの適用に伴い、ＱＲコード（登録商標）を用いた積立が行われているが、顧客が自らＱＲコード（登録商標）を撮影しなければ積立が完了されないため、顧客が自ら積み立てる必要があるという煩雑さがある。
【０００５】
このような問題を解決するために、大韓民国特許登録第１０−０８４３７４２号（特許文献１）には、クーポン発行業体に設けられ、ＲＦＩＤタグにクーポン積立情報を保存し、クーポンの積立を要請した顧客端末にクーポン積立情報を転送するクーポン積立器と、クーポン積立ボタンを備え、ユーザーによりボタンが押下されたことを感知してクーポン積立器にクーポンの積立を要請するクーポン積立プログラムを起動し、内蔵されたＲＦＩＤリーダーを用いてクーポン積立器からクーポン積立情報を受信すれば、前記クーポン積立情報を通信社サーバーに転送する顧客端末と、顧客別のデーターベースに前記クーポン積立情報を保存し、積立結果メッセージを前記顧客端末に転送する通信社サーバーと、を備える「認証された無線認識識別子を用いたクーポン積立システム」が開示されている。
【０００６】
しかしながら、大韓民国特許登録第１０−０８４３７４２号に記載のシステムは、顧客端末のユーザーがクーポン積立ボタンを作動してクーポン積立プログラムを起動することを余儀なくされるという煩雑さが依然として残っている。
【０００７】
この理由から、本発明者は、人間が聞き取り可能な音の範囲である可聴周波数から外れた高周波を用いて、ユーザーが別途の動作を行うことなく、簡単にクーポンを積み立てることのできるクーポン積立システムを開発して完成するに至った。
【先行技術文献】
【特許文献】
【０００８】
【特許文献１】大韓民国特許登録第１０−０８４３７４２号明細書
【発明の概要】
【発明が解決しようとする課題】
【０００９】
一観点の実施の形態における課題は、顧客が別途の作業を行うことなく、売り場で発行したクーポンを積み立てることのできる高周波を用いたクーポン積立システム及び積立方法等を提供することである。
【００１０】
一観点の実施の形態における他の解決課題は、中央サーバーで顧客端末別にクーポンを積み立てて顧客がクーポンを紛失する虞がなく、しかも、長期に渡って使用可能な高周波を用いたクーポン積立システム及び積立方法等を提供することである。
【課題を解決するための手段】
【００１１】
一観点の実施の形態によるクーポン積立システムは、
クーポン情報を発行するクーポン発行器と、
クーポン関連アプリケーションサービスがインストールされた無線端末及びクーポン関連アプリケーションサービスがインストールされた無線端末を登録し、クーポン発行器及び無線端末と通信する中央サーバーと
を備え、クーポン発行器は、クーポンの発行時に発行されるクーポン情報を中央サーバーに提供し、中央サーバーから提供された高周波チャンネルに対応する高周波信号を発生し、無線端末は、クーポン発行器で発生された高周波信号を受信し、高周波信号に対応する高周波チャンネル情報を中央サーバーに提供し、中央サーバーは、クーポン発行器からクーポン情報を提供されて対応する高周波チャンネルを提供し、無線端末から高周波チャンネル情報を提供されて一致すれば、顧客端末にクーポンを積み立てることを特徴とする高周波を用いたクーポン積立システムである。
【図面の簡単な説明】
【００１２】
【図１】本発明による高周波を用いたクーポン積立システムの概略図である。
【図２】本発明の第１実施形態によるクーポン発行器のブロック図である。
【図３】本発明の第１実施形態による顧客端末のブロック図である。
【図４】本発明の第１実施形態による中央サーバーのブロック図である。
【図５】本発明の第１実施形態による高周波を用いた無線クーポン積立過程のフローチャートである。
【図６】本発明の第１実施形態による高周波を用いた無線クーポン使用過程のフローチャートである。
【図７】本発明の第２実施形態による顧客端末のブロック図である。
【図８】本発明の第２実施形態による中央サーバーのブロック図である。
【発明を実施するための形態】
【００１３】
＜実施の形態の概要＞
本発明による高周波を用いたクーポン積立システムは、クーポン情報を発行するクーポン発行器１００と、クーポン関連アプリケーションサービスがインストールされた無線端末２００及びクーポン関連アプリケーションサービスがインストールされた無線端末を登録され、クーポン発行器、無線端末と通信する中央サーバー３００を備え、クーポン発行器１００は、クーポンの発行時に発行されるクーポン情報を中央サーバーに提供し、中央サーバーから提供された高周波チャンネルに対応する高周波信号を発生し、無線端末２００は、クーポン発行器で発生された高周波信号を受信し、高周波信号に対応する高周波チャンネル情報を中央サーバーに提供し、中央サーバー３００は、クーポン発行器からクーポン情報を提供されて対応する高周波チャンネルを提供し、無線端末から高周波チャンネル情報を提供されて一致すれば、顧客端末にクーポンを積み立てることを特徴とする。
【００１４】
好ましくは、クーポン発行器１００は、顧客に提供されるクーポンに関する情報を発生するクーポン発行部１０２と、高周波信号の範囲を多数に分けて生成された高周波信号別の高周波チャンネルを保存し且つ管理する第１高周波チャンネル管理部１０４と、中央サーバー３００と通信しながら、クーポン発行部１０２で発生されたクーポン情報を提供するクーポン情報提供部１０６と、中央サーバー３００と通信しながら、中央サーバー３００からクーポン発行部１０２で発行したクーポン情報に対応するように高周波チャンネルを組み合わせて生成されたクーポンチャンネルを受信するクーポンチャンネル受信部１０８と、中央サーバー３００から提供されたクーポンチャンネルに対応する高周波信号を顧客端末２００で受信可能なように発生する高周波発生部１１０と、を備え、
顧客端末２００は、高周波信号の範囲を多数に分けて生成された高周波信号別の高周波チャンネルを保存し且つ管理する第２高周波チャンネル管理部２０４と、クーポン発行器１００で発生された高周波信号を受信する高周波信号受信部２０６と、高周波信号受信部２０６で受信した高周波信号を保存された高周波信号と比較して対応する高周波チャンネルを確認する高周波チャンネル確認部２０８と、中央サーバー３００と通信しながら、高周波チャンネル確認部２０８で確認された高周波チャンネルに関する情報を中央サーバー３００に提供する高周波チャンネル確認要請部２１０と、を備え、
中央サーバー３００は、クーポンを提供する売り場に関する情報を保存し且つ管理する売り場登録部３０２と、可聴周波数から外れた高周波範囲を多数に分けて高周波チャンネルを生成し、高周波チャンネル別の周波数を保存し且つ管理する第３高周波チャンネル管理部３０４と、クーポン情報を提供された顧客端末２００に関する情報を保存し且つ管理する顧客端末管理部３０６と、売り場のクーポン発行器１００からクーポン情報を提供されれば、多数の高周波チャンネルを組み合わせてクーポン情報に対応するクーポンチャンネルを生成する高周波チャンネル割当部３０８と、高周波チャンネル割当部３０８で生成されたクーポンチャンネルに関する情報をクーポン情報を提供したクーポン発行器１００に転送するクーポンチャンネル転送部３１０と、顧客端末２００と通信しながら、顧客端末２００がクーポン発行器１００から提供された高周波チャンネル情報が提供される顧客端末確認部３１２と、顧客端末２００から提供された高周波チャンネル情報を生成されたクーポンチャンネル情報と比較して一致する高周波チャンネルを確認する高周波チャンネル分析部３１４と、高周波チャンネル分析部３１４を介して一致する高周波チャンネルが確認されれば、顧客端末２００別にクーポンを積み立てる発行クーポン保存部３１６と、を備えることを特徴とする。
【００１５】
好ましくは、中央サーバー３００の顧客端末管理部３０６は、顧客端末２００にクーポン関連アプリケーションサービスがインストールされる場合、顧客端末２００の固有識別ＩＤを提供しながら保存し、会員登録により氏名、電話番号、電子メールアドレスなどをさらに登録されることを特徴とする。
【００１６】
好ましくは、中央サーバー３００の高周波チャンネル割当部は、取引別に新たなクーポンチャンネルを形成して区別することを特徴とする。
【００１７】
好ましくは、中央サーバー３００は、発行クーポン保存部３１６を介して顧客端末２００別にクーポン情報が保存されれば、クーポン積立情報を顧客端末２００に提供するクーポン積立確認部３１８をさらに備え、顧客端末２００は、中央サーバー３００から提供されるクーポン積立完了情報を受信するクーポン積立受信部２１２をさらに備えることを特徴とする。
【００１８】
好ましくは、顧客端末２００は、高周波信号・クーポン情報を発行する売り場に関する情報を登録されて保存し且つ管理する売り場管理部２０２をさらに備えることを特徴とする。
【００１９】
好ましくは、顧客端末２００は、中央サーバー３００から提供される高周波チャンネルに対応するクーポン認証情報を受信したクーポン情報受信部２１４と、クーポン情報受信部２１４を介して受信したクーポン情報に含まれている売り場とクーポン数を確認して売り場別にクーポンを積み立てるクーポン積立部２１６と、をさらに備え、中央サーバー３００は、高周波チャンネル分析部３１４を介して一致する高周波チャンネルが確認されれば、売り場とクーポン数を認証するクーポン認証情報を生成して顧客端末２００に提供するクーポン認証情報提供部３２０をさらに備えることを特徴とする。
【００２０】
本発明による高周波を用いたクーポン積立方法は、売り場に設けられたクーポン発行器１００のクーポン発行部１０２が、顧客に提供されるクーポンに関する情報を生成するステップと、クーポン発生器のクーポン情報提供部１０６が、生成されたクーポン情報を中央サーバー３００に提供するステップと、中央サーバー３００が、高周波チャンネル割当部３０８で売り場のクーポン発行器１００から提供されたクーポンに関する情報を確認し、多数の高周波チャンネルを組み合わせて提供されたクーポン情報に対応するクーポンチャンネルを生成するステップと、中央サーバー３００のクーポンチャンネル転送部３１０が、高周波チャンネル割当部３０８で生成されたクーポンチャンネルに関する情報をクーポン発行器１００に転送するステップと、クーポン発行器１００のクーポンチャンネル受信部が、中央サーバー３００から転送されたクーポンチャンネル情報を受信するステップと、クーポン発行器１００の高周波信号発生部を介してクーポンチャンネルに対応する高周波信号を発生して顧客端末２００に提供するステップと、顧客端末２００が、高周波受信部を介してクーポン発行器１００で発生された高周波信号を受信するステップと、顧客端末２００の高周波チャンネル確認部２０８が、高周波信号受信部２０６で受信した高周波信号と比較して対応する高周波チャンネルを確認するステップと、顧客端末２００の高周波チャンネル確認要請部２１０が、確認された高周波チャンネル情報を中央サーバー３００に提供するステップと、中央サーバー３００が、顧客端末確認部３１２で顧客端末２００から転送された高周波チャンネル情報を提供された後、高周波チャンネル分析部３１４で保存されたクーポンチャンネルと比較して一致する高周波チャンネルを確認するステップと、一致する高周波チャンネルが確認されれば、中央サーバー３００の発行クーポン保存部３１６が、顧客端末２００別にクーポンを積み立てるステップと、を含むことを特徴とする。
【００２１】
好ましくは、中央サーバー３００のクーポン積立確認部３１８は、発行クーポン保存部３１６を介して顧客端末２００別にクーポン情報が保存されれば、クーポン積立情報を顧客端末２００に提供するステップと、顧客端末２００のクーポン積立受信部２１２は、中央サーバー３００から提供されるクーポン積立完了情報を受信して顧客が確認可能なように表示するステップと、をさらに含むことを特徴とする。
【００２２】
好ましくは、中央サーバー３００のクーポン認証情報提部３２０は、高周波チャンネル分析部３１４を介して一致する高周波チャンネルが確認されれば、売り場とクーポン数を認証するクーポン認証情報を生成して顧客端末２００に提供するステップと、顧客端末２００のクーポン情報受信部２１４は、中央サーバー３００から提供されるクーポン認証情報を受信し、クーポン積立部２１６は、クーポン情報受信部２１４を介して受信したクーポン情報に含まれている売り場とクーポン数を確認して売り場別にクーポンを積み立てるステップと、をさらに含むことを特徴とする。
【００２３】
＜実施の形態の効果＞
本発明による高周波を用いたクーポン積立システムは、顧客がスマートフォンなどの顧客端末にクーポンを積み立てるとき、別途の作業を行うことなく、売り場で発行したクーポンを積み立てることができるという効果がある。
【００２４】
また、本発明による高周波を用いたクーポン積立システムは、中央サーバー及び顧客端末別にクーポンを積み立てて顧客が端末を紛失しても中央サーバーでクーポンの積立現況を確認することができるという効果がある。
【００２５】
＜実施の形態の詳細な説明＞
以下、添付図面に基づき、本発明による高周波を用いたクーポン積立システム及び積立方法について詳細に説明する。
【００２６】
図１に示すように、本発明の基本的な考え方は、売り場に設けられたクーポン発行器１００が顧客に提供されるクーポンに関する情報を中央サーバー３００に提供すれば、中央サーバー３００は、クーポン情報に対応する高周波チャンネルを割り当ててクーポン発行器１００に提供し、クーポン発行器１００は、割り当てられた高周波チャンネルに対応する高周波信号を顧客端末２００に転送し、顧客端末２００は、受信した高周波信号に対応する高周波チャンネルを確認し、且つ、中央サーバー３００に提供して中央サーバー３００でクーポンを積み立てることである。
【００２７】
図２に示すように、本発明のクーポン発行器１００は売り場に設けられるものであり、クーポン発行部１０２と、第１高周波チャンネル管理部１０４と、クーポン情報提供部１０６と、高周波チャンネル受信部１０８と、高周波発生部１１０と、を備える。
【００２８】
クーポン発行部１０２は、顧客に提供されるクーポンに関する情報を発生する。クーポン情報は、顧客に提供されるクーポンの数を含む。
【００２９】
第１高周波チャンネル管理部１０４は、高周波信号の範囲を多数に分けて生成された高周波信号別の高周波チャンネルを第１高周波チャンネルＤＢ１２２に保存し且つ管理する。このような高周波チャンネル情報は中央サーバー３００から提供される。
【００３０】
クーポン情報提供部１０６は、中央サーバー３００と通信しながら、クーポン発行部１０２で発生されたクーポン情報を提供する。このとき、クーポン情報提供部１０６は、クーポン情報とともに売り場に設けられたクーポン発行器１００の情報を中央サーバー３００に提供する。
【００３１】
クーポンチャンネル受信部は、中央サーバー３００と通信しながら、中央サーバー３００からクーポン発行部１０２で発行したクーポン情報に対応するように高周波チャンネルを組み合わせて生成されたクーポンチャンネルを受信する、
高周波発生部１１０は、中央サーバー３００から提供されたクーポンチャンネルに対応する高周波信号を顧客端末２００で受信可能なように発生する。このとき、高周波信号は、クーポン発行器１００に取り付けられたスピーカーまたは接続されたスピーカーなどを介して提供されてもよい。
【００３２】
図３に示すように、顧客端末２００は、スマートフォンなどのように高周波信号が感知可能なものであり、売り場管理部２０２と、第２高周波チャンネル管理部２０４と、高周波信号受信部２０６と、高周波チャンネル確認部２０８と、高周波チャンネル確認要請部２１０と、クーポン積立受信部２１２と、を備える。このような顧客端末の各構成要素は、クーポン関連アプリケーションサービスにより顧客端末２００に設けられる。
【００３３】
売り場管理部２０２は、高周波信号・クーポン情報を発行する売り場に関する情報を登録されて売り場ＤＢ２２２に保存し且つ管理する。売り場ＤＢ２２２に登録される売り場に関する情報は、クーポン関連アプリケーションサービスをインストールするときに一緒にインストールされ、更新される売り場に関する情報は随時中央サーバー３００から提供される。
【００３４】
第２高周波チャンネル管理部２０４は、高周波信号の範囲を多数に分けて生成された高周波信号別の高周波チャンネルを第２高周波チャンネルＤＢ２２４に保存し且つ管理する。このような高周波チャンネル情報は、クーポン関連アプリケーションサービスをインストールするときに一緒にインストールされ、更新される高周波チャンネル情報は中央サーバー３００から提供される。
【００３５】
高周波信号受信部２０６は、クーポン発行器１００で発生された高周波信号を受信して一時的に保存する。例えば、高周波信号受信部２０６は、スマートフォンの音声認識部を介して高周波を受信することができる。
【００３６】
高周波チャンネル確認部２０８は、高周波信号受信部２０６で受信した高周波信号を第２高周波チャンネルＤＢ２２４に保存された高周波信号と比較して対応する高周波チャンネルを確認する。
【００３７】
高周波チャンネル確認要請部２１０は、中央サーバー３００と通信しながら、高周波チャンネル確認部２０８で確認された高周波チャンネルに関する情報を中央サーバー３００に提供する。
【００３８】
クーポン積立受信部２１２は、中央サーバー３００から提供されるクーポン積立完了情報を受信する。クーポン積立完了情報としては、売り場に関する情報、クーポン数などに関する情報が挙げられる。
【００３９】
図４に示すように、中央サーバー３００は、クーポン発行器１００と顧客端末２００と通信し、売り場登録部３０２と、第３高周波チャンネル管理部３０４と、顧客端末管理部３０６と、高周波チャンネル割当部３０８と、クーポンチャンネル転送部３１０と、顧客端末確認部３１２と、高周波チャンネル分析部３１４と、発行クーポン保存部３１６と、クーポン積立確認部３１８と、を備える。
【００４０】
売り場登録部３０２は、クーポンを提供する売り場に関する情報を売り場ＤＢ３２２に保存し且つ管理する。このとき、売り場情報としては、各支店の情報とともに売り場に設けられたクーポン発行器１００の固有ＩＤなどを一緒に登録されて保存される。
【００４１】
第３高周波チャンネル管理部３０４は、可聴周波数から外れた高周波範囲を多数に分けて高周波チャンネルを生成し、高周波チャンネル別の周波数を第３高周波チャンネルＤＢ３２４に保存し且つ管理する。例えば、１９、５００Ｈｚ〜２０、５００Ｈｚの範囲の高周波信号区間を２５Ｈｚずつ分けて、表１に示すように、４１個の高周波チャンネルを生成することができる。
【００４２】
【表１】
2015505408.tif 000003
顧客端末管理部３０６は、クーポン情報を提供される顧客端末に関する情報を顧客端末ＤＢ３２６に保存し且つ管理する。このとき、顧客端末に関する情報は、端末にクーポン関連アプリケーションサービスがインストールされる場合に基本的に顧客端末に固有ＩＤを提供しながら保存し、会員登録により氏名、電話番号、電子メールアドレスなどをさらに登録される。
【００４３】
高周波チャンネル割当部３０８は、売り場のクーポン発行器１００からクーポン情報を提供されれば、多数の高周波チャンネルを組み合わせてクーポン情報に対応するクーポンチャンネルを生成してクーポンチャンネルＤＢ３２８に保存する。このようなクーポンチャンネルは、取引別に新たなクーポンチャンネルを形成して区別することが好ましい。例えば、一つのクーポンチャンネルは、５個、６個などのチャンネルを組み合わせて生成することができる。クーポンチャンネルとして４０個のチャンネルのうち５個を組み合わせて生成する場合には５６８、００８個のクーポンチャンネルを生成することができ、６個を組み合わせる場合には３、８３８、３８０個のクーポンチャンネルを生成することができる。一方、クーポンチャンネルＤＢ３２８には、割り当てられたチャンネルとともに売り場及びクーポン情報が保存される。
【００４４】
クーポンチャンネル転送部３１０は、高周波チャンネル割当部３０８で生成されたクーポンチャンネルに関する情報をクーポン情報を提供したクーポン発行器に転送する。
【００４５】
顧客端末確認部３１２は、顧客端末２００と通信しながら、顧客端末２００がクーポン発行器１００から提供された高周波チャンネル情報を提供される。
【００４６】
高周波チャンネル分析部３１４は、顧客端末２００から提供された高周波チャンネル情報をクーポンチャンネルＤＢ３２８に保存されたチャンネル情報と比較して一致する高周波チャンネルを確認する。
【００４７】
発行クーポン保存部３１６は、高周波チャンネル分析部３１４を介して一致する高周波チャンネルが確認されれば、顧客端末ＤＢ３２６に売り場別にクーポンを積み立てる。中央サーバーに顧客端末別にクーポン現況を積み立てれば、顧客端末が変更されても顧客は中央サーバーでクーポンの積立現況を確認して使用することができる。
【００４８】
クーポン積立確認部３１８は、発行クーポン保存部３１６を介して顧客端末２００別にクーポン情報が保存されれば、クーポン積立情報を顧客端末２００に提供する。
【００４９】
このような本発明の第１実施形態による高周波を用いたクーポン積立システムは、顧客端末２００がクーポン発行器１００で発生された高周波信号を受信すれば、これを自動的に中央サーバー３００に提供してクーポンが積み立てられるため、顧客がクーポンを積み立てるために別途の動作を行う必要がない。
【００５０】
図５のフローチャートに基づき、本発明の第１実施形態による高周波を用いた無線クーポン積立過程について述べる。
【００５１】
先ず、顧客にクーポンを提供する場合、売り場に設けられたクーポン発行器１００のクーポン発行部１０２は顧客に提供されるクーポンに関する情報を生成する（ステップＳ１０１）。クーポン情報は、顧客に提供されるクーポンの数を含む。
【００５２】
クーポン発生器のクーポン情報提供部１０６は、生成されたクーポン情報を中央サーバー３００に提供する（ステップＳ１０２）。このとき、クーポン情報提供部１０６は、クーポン情報とともに売り場に設けられたクーポン発行器１００の情報を中央サーバー３００に提供する。
【００５３】
クーポン情報を提供された中央サーバー３００は、高周波チャンネル割当部３０８で売り場のクーポン発行器１００から提供されたクーポンに関する情報を確認し、多数の高周波チャンネルを組み合わせて提供されたクーポン情報に対応するクーポンチャンネルを生成する（ステップＳ１０３）。このとき、高周波チャンネル割当部３０８で生成されたクーポンチャンネルは、一度生成される度に異なるように生成されることが好ましい。
【００５４】
クーポンチャンネル転送部３１０は、高周波チャンネル割当部３０８で生成されたクーポンチャンネルに関する情報をクーポン発行器１００に転送する（ステップＳ１０４）。
【００５５】
一方、クーポン発行器１００のクーポンチャンネル受信部は、中央サーバー３００から転送されたクーポンチャンネル情報を受信し、高周波信号発生部を介してクーポンチャンネルに対応する高周波信号を発生して顧客端末２００に提供する（ステップＳ１０５）。このとき、高周波信号は、クーポン発行器１００に取り付けられたスピーカーまたは接続されたスピーカーなどを用いて提供することができる。
【００５６】
一方、顧客端末２００は、高周波受信部を介してクーポン発行器１００で発生された高周波信号を受信し、高周波チャンネル確認部２０８は、高周波信号受信部２０６で受信した高周波信号を第２高周波チャンネルＤＢ２２４に保存された高周波信号と比較して対応する高周波チャンネルを確認する（ステップＳ１０６）。確認された高周波チャンネル情報は、高周波チャンネル確認要請部２１０を介して中央サーバー３００に提供される（ステップＳ１０７）。
【００５７】
中央サーバー３００は、顧客端末確認部３１２で顧客端末２００から転送された高周波チャンネル情報を提供された後、高周波チャンネル分析部３１４でクーポンチャンネルＤＢ３２８に保存されたクーポンチャンネルと比較して一致する高周波チャンネルを確認する（ステップＳ１０８）。
【００５８】
このとき、一致する高周波チャンネルが確認されれば（ステップＳ１０９）、中央サーバー３００の発行クーポン保存部３１６は、顧客端末ＤＢ３２６に売り場別にクーポンを積み立て（ステップＳ１１０）、クーポン積立確認部３１８は、発行クーポン保存部３１６を介して顧客端末２００別にクーポン情報が保存されれば、クーポン積立情報を顧客端末２００に提供する（ステップＳ１１１）。
【００５９】
図６のフローチャートに基づき、顧客端末を用いて中央サーバー３００に保存されたクーポンの使用過程について述べる。
【００６０】
顧客が売り場でクーポンの使用を要請すれば、売り場に設けられたクーポン発行器１００のクーポン発行部１０２は、顧客が使用するクーポン数に関する情報を生成する（ステップＳ２０１）。クーポン発生器のクーポン情報提供部１０６は、生成された使用クーポン情報を中央サーバー３００に提供する（ステップＳ２０２）。
【００６１】
クーポン情報を提供された中央サーバー３００は、高周波チャンネル割当部３０８で売り場のクーポン発行器１００から提供された使用クーポンに関する情報を確認し、使用クーポン情報に対応する多数の高周波チャンネルを組み合わせて使用クーポンチャンネルを生成する（ステップＳ２０３）。
【００６２】
クーポンチャンネル転送部３１０は、高周波チャンネル割当部３０８で生成された使用クーポンチャンネルに関する情報をクーポン発行器１００に転送する（ステップＳ２０４）。
【００６３】
一方、クーポン発行器１００のクーポンチャンネル受信部は、中央サーバー３００から転送された使用クーポンチャンネル情報を受信し、高周波信号発生部を介して使用クーポンチャンネルに対応する高周波信号を発生して顧客端末２００に提供する（ステップＳ２０５）。
【００６４】
顧客端末２００は、高周波受信部を介してクーポン発行器１００で発生された使用クーポンに対応する高周波信号を受信し、高周波チャンネル確認部２０８は、高周波信号受信部２０６で受信した高周波信号を第２高周波チャンネルＤＢ２２４に保存された高周波信号と比較して対応する高周波チャンネルを確認する（ステップＳ２０６）。確認された高周波チャンネル情報は、高周波チャンネル確認要請部２１０を介して中央サーバー３００に提供される（ステップＳ２０７）。
【００６５】
中央サーバー３００は、顧客端末確認部３１２で顧客端末２００から転送された高周波チャンネル情報を提供された後、高周波チャンネル分析部３１４でクーポンチャンネルＤＢ３２８に保存された使用クーポンチャンネル情報と比較して一致する高周波チャンネルを確認する（ステップＳ２０８）。
【００６６】
このとき、一致する高周波チャンネルが確認されれば（ステップＳ２０９）、中央サーバー３００の発行クーポン保存部３１６は、顧客端末ＤＢ３２６に売り場別に積み立てられたクーポンから使用済みのクーポンを差し引く（ステップＳ２１０）。そして、クーポン積立確認部３１８は、売り場に関するクーポン使用情報を顧客端末２００に提供する（ステップＳ２１１）。
【００６７】
本発明の第２実施形態による高周波を用いたクーポン積立システムについて述べる。
【００６８】
図７に示すように、顧客端末２００は、売り場管理部２０２と、第２高周波チャンネル管理部２０４と、高周波信号受信部２０６と、高周波チャンネル確認部２０８と、高周波チャンネル確認要請部２１０と、クーポン情報受信部２１４と、クーポン積立部２１６と、を備える。このとき、売り場管理部２０２と、第２高周波チャンネル管理部２０４と、高周波信号受信部２０６と、高周波チャンネル確認部２０８及び高周波チャンネル確認要請部２１０に相当するそれぞれの構成要素の機能及びこれらの間の有機的な関係は、第１実施形態による顧客端末２００に相当するそれぞれの構成要素の機能及びこれらの間の有機的な関係と同様であるため、以下、これについてのそれぞれの敷衍説明は省略する。
【００６９】
一方、顧客端末のクーポン情報受信部２１４は、中央サーバー３００から提供される高周波チャンネルに対応するクーポン認証情報を受信する。クーポン確認情報としては、売り場に関する情報、クーポン数などに関する情報が挙げられる。
【００７０】
クーポン積立部２１６は、クーポン情報受信部２１４を介して受信したクーポン情報に含まれている売り場とクーポン数を確認してクーポンＤＢ２２６に売り場別にクーポンを積み立てる。クーポン積立部２１６を介して保存された売り場別のクーポン積立事項は画面に表示してユーザーが確認することができる。
【００７１】
図８に示すように、中央サーバー３００は、クーポン発行器１００及び顧客端末２００と通信し、売り場登録部３０２と、第３高周波チャンネル管理部３０４と、顧客端末管理部３０６と、高周波チャンネル割当部３０８と、クーポンチャンネル転送部３１０と、顧客端末確認部３１２と、高周波チャンネル分析部３１４と、発行クーポン保存部３１６と、クーポン認証情報提供部３２０と、を備える。このとき、売り場登録部３０２と、第３高周波チャンネル管理部３０４と、顧客端末管理部３０６と、高周波チャンネル割当部３０８と、クーポンチャンネル転送部３１０と、顧客端末確認部３１２と、高周波チャンネル分析部３１４及び発行クーポン保存部３１６に相当するそれぞれの構成要素の機能及びこれらの間の有機的な関係は、第１実施形態による中央サーバー３００に相当するそれぞれの構成要素の機能及びこれらの間の有機的な関係と同様であるため、以下、これについてのそれぞれの敷衍説明は省略する。
【００７２】
一方、中央サーバーのクーポン認証情報提供部３２０は、高周波チャンネル分析部３１４を介して一致する高周波チャンネルが確認されれば、売り場とクーポン数を認証するクーポン認証情報を生成して顧客端末２００に提供する。
【００７３】
このような本発明の第２実施形態によれば、中央サーバー３００及び顧客端末２００で売り場別にクーポンの積立状態を確認することができる。
【００７４】
以上述べたように、本発明はたとえ限定された実施形態と図面により説明されたが、本発明はこれにより限定されるものではなく、本発明が属する技術分野において通常の知識を有する者により、本発明の技術思想と後述する請求範囲の均等範囲内で種々の修正及び変形が可能であるということはいうまでもない。
【図１】
2015505408.tif 000004
【図２】
2015505408.tif 000005
【図３】
2015505408.tif 000006
【図４】
2015505408.tif 000007
【図５】
2015505408.tif 000008
【図６】
2015505408.tif 000009
【図７】
2015505408.tif 000010
【図８】
2015505408.tif 000011
【国際調査報告】
2015505408.tif 000012
2015505408.tif 000013
2015505408.tif 000014
2015505408.tif 000015